(57)【特許請求の範囲】
【請求項１】
垂直に立設される軸部材の外周に、メダルセット板を昇降自在かつ前記軸部材を中心にして水平面内で回転移動可能に装着し、メダルを積み上げる水平面の上方に配置されたそのメダルセット板に、メダルを水平に嵌め込んでセットする複数の上下に貫通したセット孔を、メダルセット板の回転移動方向に等間隔で配列し、これらのセット孔にセットしたメダルを、下側に積まれるメダルの積み上げ位置と、上側に積まれるメダルの積み上げ位置を前記メダルセット板の回転移動方向にずらして前記水平面上に積み上げるようにしたメダル積み上げ器において、
前記メダルセット板のセット孔と同じ配列とされ、複数のメダルが積層されてストックされる複数の上下に貫通したストック孔を設けたメダルストッカを、前記メダルセット板の上側において、前記軸部材の外周に昇降自在かつ前記軸部材を中心にして水平面内で回転移動可能に装着し、このメダルストッカを回転移動させて前記ストック孔と前記メダルセット板のセット孔の位置を合致させ、その孔位置の合致点で、各ストック孔にストックされたメダルを、前記セット孔に落とし込んでセットするようにしたことを特徴とするメダル積み上げ器。
【請求項２】
前記メダルセット板が、各々が前記セット孔を有するセット孔数と同数の筒部を上下のフランジで連結して構成され、さらに、前記メダルストッカが、各々が前記ストック孔を有するストック孔数と同数の筒部を上下のフランジで連結して構成され、メダルセット板とメダルストッカの前記フランジは、前記セット孔、ストック孔の位相位置と位相の中間位置にそれぞれ角を有する正多角形をなす請求項１に記載のメダル積み上げ器。
【請求項３】
メダルが積み上げられる前記水平面を備えた持ち運び可能なトレイと、このトレイ上に積み上げられたメダルを、その積み上げ形態を保持した状態で所望の床面上に掃出す掃出し具をさらに備え、前記軸部材が前記トレイに設けられた貫通穴に抜き取り可能に通された請求項１又は２に記載のメダル積み上げ器。
【発明の詳細な説明】
【技術分野】
【０００１】
本発明は、メダル落としゲーム機のテーブル等の床面に、メダルを積み上げるメダル積み上げ器に関する。
【背景技術】
【０００２】
メダル落としゲーム機（例えば、特許文献１参照）等では、見栄えやゲームの面白さを増すために、メダルをテーブル等の水平な床面に積み上げてディスプレイすることがある。このメダル積み上げの水平面内での配列形状は環状や円弧状とされたものが多く、通常、メダルは下側のメダルと配列方向に位置をずらして積み上げられている。１つの配列におけるメダルの積み上げ枚数は１００枚以上になることもあり、以前は、人がメダルを１枚ずつ手で持って積み上げていたので、メダルの積み上げ作業に非常に時間がかかる問題があった。また、細かい単調な作業の繰り返しで、神経が苛立ったり、手の筋肉が緊張や麻痺したりして手元が不安定になり、途中まで積み上げたメダルを崩してしまうことも多かった。
【０００３】
このような問題に対して、本発明者は、メダルを積み上げる床面上に立設される軸部材に、メダルセット板を昇降自在かつ水平面内で回転移動可能に装着し、このメダルセット板に、水平面内でメダルを嵌め込んでセットする複数のセット孔を、メダルセット板の回転移動方向に配列して、これらのセット孔にセットしたメダルを、水平面上でその下側に積まれたメダルと、メダルセット板の回転移動方向に位置をずらして積み上げるメダル積み上げ器を先に提案している（特許文献２参照）。
【０００４】
【特許文献１】特開平８−２２９２３２号公報
【特許文献２】特開２００５−８０８９６号公報
【発明の開示】
【発明が解決しようとする課題】
【０００５】
近年、メダル落としゲーム機の床面におけるメダルディスプレイは、１つの配列のメダル積み上げ枚数が多くなるとともに、メダルを積み上げる床面数も増加する傾向がある。特許文献２に記載されたメダル積み上げ器は、以前よりもメダルを短時間で安定して積み上げることができるようになったが、メダルを１回毎にメダルセット板のセット孔に嵌め込む必要があるので、このようなメダル積み上げ枚数や床面数が多いメダル落としゲーム機では、未だメダルディスプレイにかなりの時間がかかり、メダルディスプレイのさらなる迅速化が望まれている。
【０００６】
そこで、本発明の課題は、メダル積み上げ枚数や床面数が多くても、メダルディスプレイを迅速に行えるようにすることである。
【課題を解決するための手段】
【０００７】
上記の課題を解決するために、本発明は、垂直に立設される軸部材の外周に、メダルセット板を昇降自在かつ前記軸部材を中心にして水平面内で回転移動可能に装着し、メダルを積み上げる水平面の上方に配置されたそのメダルセット板に、メダルを水平に嵌め込んでセットする複数の上下に貫通したセット孔を、メダルセット板の回転移動方向に等間隔で配列し、これらのセット孔にセットしたメダルを、下側に積まれるメダルの積み上げ位置と、上側に積まれるメダルの積み上げ位置を前記メダルセット板の回転移動方向にずらして前記水平面上に積み上げるようにしたメダル積み上げ器において、前記メダルセット板のセット孔と同じ配列とされ、複数のメダルが積層されてストックされる複数の上下に貫通したストック孔を設けたメダルストッカを、前記メダルセット板の上側において、前記軸部材の外周に昇降自在かつ前記軸部材を中心にして水平面内で回転移動可能に装着し、このメダルストッカを回転移動させて前記ストック孔と前記メダルセット板のセット孔の位置を合致させ、その孔位置の合致点で、各ストック孔にストックされたメダルを、前記セット孔に落とし込んでセットする構成を採用した。
【０００８】
すなわち、メダルセット板のセット孔と同じ配列とされ、複数のメダルが積層されてストックされる複数のストック孔を設けたメダルストッカを、メダルセット板の上側において、軸部材の外周に昇降自在かつ軸部材を中心にして水平面内で回転移動可能に装着し、このメダルストッカを回転移動させて、前記ストック孔とメダルセット板のセット孔の位置を合致させ、その孔位置の合致点で、各ストック孔にストックされたメダルを、セット孔に落とし込んでセットすることにより、メダルを１回毎にメダルセット板のセット孔に嵌め込んでセットする手間をなくし、メダル積み上げ枚数が多くても、メダルディスプレイを迅速に行えるようにした。
【０００９】
前記メダルセット板と前記メダルストッカとに、前記セット孔とストック孔の位置を合致させる目印を設けることにより、ストック孔にストックされたメダルのメダルセット板のセット孔への落とし込みを、より迅速に行うことができる。
【００１０】
また、本発明は、上記の構成要素に加えてさらにメダルが積み上げられる前記水平面を備えた持ち運び可能なトレイと、このトレイ上に積み上げられたメダルを、その積み上げ形態を保持した状態で所望の床面上に掃出す掃出し具を備えさせ、前記軸部材を前記トレイに設けられた貫通穴に抜き取り可能に通す構成も採用した。
【００１１】
すなわち、メダルが積み上げられる水平面を備えた持ち運び可能なトレイと、このトレイ上に積み上げられたメダルを、その積み上げ形態を保持した状態で所望の床面上に掃出す掃出し具とを設けることにより、メダルディスプレイが行われる床面とは別の場所でメダルを所定の配列パターンでトレイ上に積み上げ、このメダルを積み上げたトレイを持ち運んで、掃出し具で積み上げたメダルを所望の床面上に掃出すことを可能となして、床面数が多くても、メダルディスプレイをより迅速に行えるようにした。
【００１２】
前記水平面上に載置されるトレイの下に敷かれる敷板を設け、この敷板に前記軸部材の下端部を着脱可能に螺合または嵌合する穴を設けて軸部材を立設するようにし、前記トレイにこの立設した軸部材を通す貫通孔を設けることにより、軸部材を容易に立設することができる。
【００１４】
前記メダルセット板の回転移動位置を位置決めする手段を設けることにより、積み上げるメダルの下段側のメダルとの位置ずれ量を正確で迅速にセットすることができる。
【発明の効果】
【００１５】
本発明のメダル積み上げ器は、メダルセット板のセット孔と同じ配列とされ、複数のメダルが積層されてストックされる複数のストック孔を設けたメダルストッカを、メダルセット板の上側において、軸部材の外周に昇降自在かつ軸部材を中心にして水平面内で回転移動可能に装着し、このメダルストッカを回転移動させて、前記ストック孔とメダルセット板のセット孔の位置を合致させ、その孔位置の合致点で、各ストック孔にストックされたメダルを、セット孔に落とし込んでセットするようにしたので、メダルを１回毎にメダルセット板のセット孔に嵌め込んでセットする手間をなくし、メダル積み上げ枚数が多くても、メダルディスプレイを迅速に行うことができる。
【００１６】
前記メダルセット板とメダルストッカとに、セット孔とストック孔の位置を合致させる目印を設けることにより、ストック孔にストックされたメダルのメダルセット板のセット孔への落とし込みを、より迅速に行うことができる。
【００１７】
また、メダルが積み上げられる前記水平面を備えた持ち運び可能なトレイと、このトレイ上に積み上げられたメダルを、その積み上げ形態を保持した状態で所望の床面上に掃出す掃出し具をさらに備え、前記軸部材が前記トレイに設けられた貫通穴に抜き取り可能に通されたものは、メダルディスプレイが行われる床面とは別の場所でメダルを所定の配列パターンでトレイ上に積み上げ、このメダルを積み上げたトレイを持ち運んで、掃出し具で積み上げたメダルを所望の床面上に掃出すことができ、床面数が多くても、メダルディスプレイをより迅速に行うことができる。
【００１８】
前記水平面上に載置されるトレイの下に敷かれる敷板を設け、この敷板に軸部材の下端部を着脱可能に螺合または嵌合する穴を設けて軸部材を立設するようにし、トレイにこの立設した軸部材を通す貫通孔を設けることにより、軸部材を容易に立設することができる。
【００２０】
前記メダルセット板の回転移動位置を位置決めする手段を設けることにより、積み上げるメダルの下段側のメダルとの位置ずれ量を正確で迅速にセットすることができる。
【発明を実施するための最良の形態】
【００２１】
以下、図面に基づき、本発明の実施形態を説明する。図１乃至図６は、第１の実施形態である。このメダル積み上げ器は、図１に示すように、メダルＡを積み上げる床面上に載置される支持具１で軸部材２を立設し、メダルＡを嵌め込んでセットする５箇所のセット孔３ａを中心から同一円周上に等間隔で配列して設けたメダルセット板３を下側、複数のメダルＡが積層されてストックされる５箇所のストック孔４ａをセット孔３ａと同じ配列で設けたメダルストッカ４を上側として、これらの中心に軸部材２を嵌挿し、メダルセット板３とその上側のメダルストッカ４とを、昇降自在かつ水平面内で回転移動可能に軸部材２に装着したものである。
【００２２】
前記支持具１は、床面上に載置される台座１ａに２本の支柱１ｂで天板１ｃを連結し、天板１ｃの前方への張り出し部に、軸部材２を床面まで垂下するよう立設するものである。
【００２３】
前記メダルセット板３は、図２（ａ）、（ｂ）に示すように、セット孔３ａを有する５個の筒部３ｂを上下のフランジ３ｃで結合し、これらのフランジ３ｃの中心部にガイドリング３ｄを取り付けたものであり、このガイドリング３ｄが軸部材２にスライド自在かつ回転自在に嵌め込まれて、メダルセット板３が軸部材２に沿って昇降するとともに、軸部材２の回りに回転移動するようになっている。ガイドリング３ｄは、軸部材２の下端にねじ止めされた座金５で抜け止めされている。
【００２４】
前記各筒部３ｂのセット孔３ａには、１０枚ずつのメダルＡが嵌め込まれてセットされるようになっており、上下のフランジ３ｃは、５箇所のセット孔３ａの位相位置とこれらの中間位置に角を有する正１０角形とされている。
【００２５】
前記メダルストッカ４は、図３（ａ）、（ｂ）に示すように、ストック孔４ａを有する５個の筒部４ｂを上下のフランジ４ｃで結合し、これらのフランジ４ｃの中心部に、ガイドリング４ｄを下フランジ４ｃの上面側で取り付けたものであり、ガイドリング４ｄが軸部材２にスライド自在かつ回転自在に嵌め込まれて、メダルストッカ４が軸部材２に沿って昇降するとともに、軸部材２の回りに回転移動するようになっている。
【００２６】
前記各筒部４ｂのストック孔４ａには、セット孔３ａの５倍の５０枚ずつのメダルＡが積層されてストックされるようになっており、上下のフランジ４ｃは、５箇所のストック孔４ａの位相位置とこれらの中間位置に角を有し、メダルセット板３の各フランジ３ｃよりも少し外径の小さい正１０角形とされている。
【００２７】
図１に示したように、前記メダルセット板３とメダルストッカ４の下フランジ３ｃ、４ｃの上面には、それぞれ正１０角形の１つおきの角部に目印３ｅ、４ｅが設けられ、これらの角部の目印３ｅ、４ｅ同士を合わせたときに、各セット孔３ａとストック孔４ａの周方向位置が合致し、ストック孔４ａにストックされたメダルＡがセット孔３ａへ落とし込まれるようになっている。目印３ｅ、４ｅを互いにずらしたときは、ストック孔４ａにストックされたメダルＡは、メダルセット板３の上フランジ３ｃで落ち止めされる。
【００２８】
以下に、上述した第１の実施形態のメダル積み上げ器を用いて、メダル落としゲーム機の床面にメダルＡを積み上げる手順を説明する。この実施形態では、図４に示すように、１段１０枚ずつのメダルＡが５箇所に環状に配列され、その上に同じく１段１０枚ずつのメダルＡが、周方向位置を千鳥状にずらして５箇所に積み上げられる。この繰り返しによって、１つの環状配列のメダルＡが床面に積み上げられる。
【００２９】
まず、図５（ａ）に示すように、メダルストッカ４をメダルセット板３の上に重ねて、これらの下フランジ３ｃ、４ｃの目印３ｅ、４ｅを、正１０角形の１角分ずらした状態で、メダルストッカ４の各ストック孔４ａにメダルＡをストックし、メダルセット板３を床面に接地させる。つぎに、図５（ｂ）に示すように、メダルストッカ４を軸部材２の回りに回転移動させて、各下フランジ３ｃ、４ｃの目印３ｅ、４ｅの位置を合わせ、各ストック孔４ａにストックされたメダルＡをメダルセット板３のセット孔３ａへ落とし込み、床面上に環状配列の１段目を形成する。こののち、メダルストッカ４を再び回転移動させて、図５（ａ）に示したように、目印３ｅ、４ｅの位置を正１０角形の１角分ずらし、上下に重ねたメダルストッカ４とメダルセット板３を上昇させる。このとき、メダルストッカ４は、正逆いずれの方向に回転移動させてもよい。
【００３０】
つぎに、前記目印３ｅ、４ｅの位置をずらして上昇させたメダルストッカ４とメダルセット板３を、床面上に形成した環状配列の１段目に対して、各フランジ３ｃ、４ｃの１角分だけ回転移動させたのち、これらを下降させて、メダルセット板３を環状配列の１段目の上面に当接させる。この状態で、図５（ｂ）に示したように、メダルストッカ４を軸部材２の回りに回転移動させて、各下フランジ３ｃ、４ｃの目印３ｅ、４ｅの位置を合わせ、各ストック孔４ａにストックされたメダルＡをメダルセット板３のセット孔３ａへ落とし込み、環状配列の１段目の上に、周方向位置を千鳥状にずらした環状配列の２段目を形成する。こののち、メダルストッカ４を再び回転移動させて、図５（ａ）に示したように、目印３ｅ、４ｅの位置を正１０角形の１角分ずらし、上下に重ねたメダルストッカ４とメダルセット板３を上昇させる。この繰り返しによって、１つの環状配列を積み上げる。
【００３１】
図６は、上述した環状配列のメダルＡをメダル落としゲーム機の床面である固定テーブル２０に積み上げた状態を示す。このメダル落としゲーム機は、固定テーブル２０の奥側で移動テーブル２１を進退させ、樋２２から投入されて散在するメダルＡを、固定テーブル２０の前面側に設けられたポケット２３に落とし込むものである。環状配列で積み上げられたメダルＡの山は、移動テーブル２１で押し出される固定テーブル２０上のメダルＡによって徐々に変形し、この山の一部または全部が崩れると、一度に多量のメダルＡがポケット２３に落下する。
【００３２】
図７乃至図１０は、第２の実施形態を示す。このメダル積み上げ器は、図７に示すように、第１の実施形態と同様のメダルセット板３とメダルストッカ４が装着される軸部材２の上端に抜け止め６が設けられており、水平面上に載置されてメダルＡを積み上げられる持ち運び可能なトレイ７と、その下に敷かれる敷板８と、トレイ７上に積み上げられるメダルＡを、持ち運び時に崩れ止めし、積み上げ形態を保持した状態で所望の床面上に掃出す半割り筒状の掃出し具９とを備えている。軸部材２は、トレイ７に設けた貫通孔７ａに通して、敷板８に設けたねじ穴８ａに立設されるようになっている。トレイ７は正方形状とされて、正方形の３辺に立壁７ｂが設けられて前面側の１辺が開放され、対向する２辺の立壁７ｂに、持ち運び用の把手７ｃが設けられている。
【００３３】
また、前記メダルストッカ４の上側に筒状のホッパ１０が着脱されるようになっており、このホッパ１０にメダルＡを投入して掻き混ぜることにより、多数のメダルＡをストック孔４ａへ落とし込んで容易にストックすることができる。
【００３４】
さらに、前記メダルセット板３の下フランジ３ｃには、外径側へ張り出す２本のアーム１１ａ、１１ｂが設けられ、後述するように、これらのアーム１１ａ、１１ｂが回転方向に押し当てられて、メダルセット板３の回転位置を位置決めする位置決め棒１２が、敷板８のねじ穴８ｂに、トレイ７の開放された前面側で立設されるようになっている。
【００３５】
以下に、上述した第２の実施形態のメダル積み上げ器を用いて、トレイ７の上にメダルＡを積み上げる手順を説明する。基本的な積み上げ手順は第１の実施形態のものと同じであり、まず、図８（ａ）に示すように、メダルＡをストックしたメダルストッカ４をメダルセット板３の上に重ねて、これらの下フランジ３ｃ、４ｃの目印３ｅ、４ｅを、正１０角形の１角分ずらした状態でメダルセット板３を床面に接地させ、メダルセット板３を回転させて一方のアーム１１ａを位置決め棒１２に当接させる。つぎに、図８（ｂ）に示すように、メダルストッカ４を軸部材２の回りに回転移動させて、各下フランジ３ｃ、４ｃの目印３ｅ、４ｅの位置を合わせ、各ストック孔４ａにストックされたメダルＡをメダルセット板３のセット孔３ａへ落とし込み、床面上に環状配列の１段目を形成する。こののち、メダルストッカ４を再び回転移動させて、図８（ａ）に示したように、目印３ｅ、４ｅの位置を正１０角形の１角分ずらし、上下に重ねたメダルストッカ４とメダルセット板３を上昇させる。
【００３６】
つぎに、図８（ｃ）に示すように、前記目印３ｅ、４ｅの位置をずらして上昇させたメダルストッカ４とメダルセット板３を一体で回転移動させ、メダルセット板３の他方のアーム１１ｂを位置決め棒１２に当接させて、床面上に形成した環状配列の１段目に対して、各フランジ３ｃ、４ｃが１角分だけずれるように位置決めしたのち、これらを下降させて、メダルセット板３を環状配列の１段目の上面に当接させる。この状態で、図８（ｄ）に示すように、メダルストッカ４を軸部材２の回りに回転移動させて、各下フランジ３ｃ、４ｃの目印３ｅ、４ｅの位置を合わせ、各ストック孔４ａにストックされたメダルＡをメダルセット板３のセット孔３ａへ落とし込み、環状配列の１段目の上に、周方向位置を千鳥状にずらした環状配列の２段目を形成する。こののち、メダルストッカ４を再び回転移動させて、図８（ｃ）に示したように、目印３ｅ、４ｅの位置を正１０角形の１角分ずらし、上下に重ねたメダルストッカ４とメダルセット板３を上昇させる。この繰り返しによって、第１の実施形態のものと同様の環状配列で、メダルＡがトレイ７上に積み上げられる。
【００３７】
図９に示すように、前記トレイ７上に積み上げられたメダルＡの環状配列は、半割り筒状の掃出し具９でトレイ７の中央側へ寄せられて崩れ止めされ、メダルセット板３とメダルストッカ４を装着した軸部材２と位置決め棒１２が敷板８の各ねじ穴８ａ、８ｂから抜き取られて、敷板８が取り除かれる。
【００３８】
こののち、図１０に示すように、前記敷板８を取り除かれたトレイ７が持ち運ばれて、所望のゲーム機の床面上に載置され、掃出し具９をトレイ７に押さえ付けた状態で、トレイ７が開放された１辺と反対方向に床面上から抜き取られて、トレイ７上の環状配列が床面上に移される。中央側へ寄せられた環状配列は、床面上で適宜拡径される。
【００３９】
上述した各実施形態では、メダルセット板のセット孔とメダルストッカのストック孔を同一円周上の５箇所に配列し、各セット孔にセットされるメダル枚数を１０枚ずつ、各ストック孔にストックされるメダル枚数をその５倍の５０枚ずつとして、１段に５×１０枚ずつのメダルを環状配列で積み上げるようにしたが、本発明に係るメダル積み上げ器は、セット孔とストック孔を部分円弧上に配列し、メダルを円弧状配列で積み上げるものとすることもできる。また、セット孔やストック孔の配列数、各セット孔にセットされるメダル枚数、および各ストック孔にストックされるメダル枚数は実施形態のものに限定されることはなく、各セット孔にセットされるメダル枚数を１枚ずつとすることもできる。なお、ストック孔にストックされるメダル枚数は、セット孔にセットされるメダル数の倍数とするのが好ましく、この倍数をメダル配列の段数とすれば、途中でストック孔にメダルを補充する必要がなく、さらに好ましい。
【００４０】
上述した第２の実施形態では、軸部材と位置決め棒をねじ穴への螺合によって敷板に立設したが、これらは嵌合によって敷板に立設することもできる。また、掃出し具を分割した半割り筒状のものとしたが、これらをヒンジ等で開閉可能に連結することもできる。なお、掃出し具の形態は、メダル配列の形態に応じて任意に設計することができ、掃出し機能のみを持たせる場合は、メダル配列の全周でなく、メダル配列の掃出し前面側のみを拘束するものとすることもできる。
【図面の簡単な説明】
【００４１】
【図１】第１の実施形態のメダル積み上げ器を示す外観斜視図
【図２】ａは図１のメダルセット板を示す平面図、ｂはａのII−II線に沿った断面図
【図３】ａは図１のメダルストッカを示す平面図、ｂはａのIII−III線に沿った断面図
【図４】図１のメダル積み上げ器でメダルを積み上げる状態を示す斜視図
【図５】ａ、ｂは、それぞれ図１のメダル積み上げ器でメダルを積み上げる手順を説明する平面図
【図６】図１のメダル積み上げ器を用いてメダル落としゲーム機の固定テーブルにメダルを積み上げた状態を示す斜視図
【図７】第２の実施形態のメダル積み上げ器を示す分解斜視図
【図８】ａ、ｂ、ｃ、ｄは、それぞれ図７のメダル積み上げ器でメダルを積み上げる手順を説明する平面図
【図９】図７のトレイ上に積み上げられたメダル配列を掃出し具で崩れ止めした状態を示す斜視図
【図１０】図７のトレイ上から積み上げられたメダル配列を掃出す状態を示す斜視図
【符号の説明】
【００４２】
１  支持具
１ａ  台座
１ｂ  支柱
１ｃ  天板
２  軸部材
３  メダルセット板
３ａ  セット孔
３ｂ  筒部
３ｃ  フランジ
３ｄ  ガイドリング
３ｅ  目印
４  メダルストッカ
４ａ  ストック孔
４ｂ  筒部
４ｃ  フランジ
４ｄ  ガイドリング
４ｅ  目印
５  座金
６  抜け止め
７  トレイ
７ａ  貫通孔
７ｂ  立壁
７ｃ  把手
８  敷板
８ａ、８ｂ  ねじ穴
９  掃出し具
１０  ホッパ
１１ａ、１１ｂ  アーム
１２  位置決め棒
２０  固定テーブル
２１  移動テーブル
２２  樋
２３  ポケット
【図１】
0004847433.tif 000002
【図２】
0004847433.tif 000003
【図３】
0004847433.tif 000004
【図４】
0004847433.tif 000005
【図５】
0004847433.tif 000006
【図６】
0004847433.tif 000007
【図７】
0004847433.tif 000008
【図８】
0004847433.tif 000009
【図９】
0004847433.tif 000010
【図１０】
0004847433.tif 000011